(57)【要約】      （修正有）【課題】乾式用の洗浄装置に適用できる湿式洗浄布ロールを供給する。【解決手段】芯管１４の表層面に洗浄布１２を巻きつけてなる洗浄布ロール１０である。洗浄布は洗浄液を含む含浸洗浄布であり、芯管を外側の紙管１８と、内側に挿入される金属管２０または強化プラスチック管との二重構造とした。金属管または強化プラスチック管は洗浄布の幅方向両端部より外側に出ている紙管と同等か、洗浄布の幅と同等の紙管よりは外側に出ている構成とした。【選択図】図１
0003192266.tif 000002
【実用新案登録請求の範囲】
【請求項１】
芯管の表層面に洗浄布を巻きつけてなる洗浄布ロールにおいて、
前記洗浄布は洗浄液を含む含浸洗浄布であり、
前記芯管を外側の紙管と、内側に挿入された金属管または強化プラスチック管との二重管構造としたことを特徴とする洗浄布ロール。
【請求項２】
前記金属管または強化プラスチック管は、洗浄布の幅方向両端部より外側に出ている紙管とほぼ同等の長さであることを特徴とする請求項１に記載の洗浄布ロール。
【請求項３】
前記金属管または強化プラスチック管は、洗浄布幅と同等の紙管より長く設定されていることを特徴とする請求項１に記載の洗浄布ロール。
【考案の詳細な説明】
【技術分野】
【０００１】
本考案は、輪転印刷機のシリンダ表面の汚れを洗浄布により拭き取るための布を巻いた洗浄布ロールに関する。
【背景技術】
【０００２】
輪転印刷機では定期的にブランケット胴等のシリンダの表面洗浄が行われている。シリンダの表面の汚れをふき取るため、通常は不織布が用いられ、これを紙芯ロールの表面に巻き付けた状態で洗浄機に取り付けられる。そして、繰り出された不織布を歩進させながらシリンダに接触させ、別のロールにより巻き取るようにしている。洗浄布ロールは、従来、生産性の良さから、不織布を巻回させる芯管として、紙管が採用されている。このような構成の洗浄布ロールは、輪転印刷機等のブランケット胴や圧胴の洗浄に用いる際には、特許文献１に開示されているように芯管としての紙管に、端部固定のためのアタッチメントが装着される。
【０００３】
このような洗浄布ロールには、乾いた洗浄布を巻きつけておき、これを繰り出しつつ、シリンダと接触する際に洗浄液を付けて濡らし、シリンダの洗浄を行わせるタイプの乾式の洗浄布ロールが知られている。また、一方で、洗浄布ロールを洗浄液で予め濡らしておき、洗浄塗布手段を省略した、いわゆる湿式タイプのものも知られている。
【先行技術文献】
【特許文献】
【０００４】
【特許文献１】特開２０１１−２０１３１４号公報
【考案の概要】
【考案が解決しようとする課題】
【０００５】
ところで、乾式の洗浄布ロールに代えて、乾式タイプの洗浄機に湿式ロールを使用することが望まれる場合がある。しかし、この湿式タイプの洗浄布ロールでは、巻回されている洗浄布に、予め洗浄液を含浸させるが、紙管を使用した洗浄布ロールの場合、紙管自体にも洗浄液が吸収されることとなり、約３０φの紙管に幅１０００ｍｍ以上の洗浄シートを、洗浄液を含浸させて巻きつけている為、使用時に紙管を含む洗浄布ロール全体が撓んでしまい、洗浄液が幅方向で偏ってしまうという問題を生じる。また、このような撓みは洗浄布のシワの原因となるので、これを有効に防止することが望まれている。
【０００６】
そこで本考案では、乾式の洗浄布ロールを湿式に変更する際、乾式タイプの洗浄装置に用いても撓み性等の変化がなく、シワの発生のない洗浄布ロールを供給することを目的とする。
【課題を解決するための手段】
【０００７】
上記目的を達成するための本考案に係る洗浄布ロールは、芯管の表層面に洗浄布を巻きつけてなる洗浄布ロールにおいて、前記洗浄布は洗浄液を含む含浸洗浄布であり、前記芯管を外側の紙管と、内側に挿入された金属管または強化プラスチック管との二重管構造としたものである。
【０００８】
前記金属管または強化プラスチック管は、洗浄布の幅方向両端部より外側に出ている紙管とほぼ同等の長さとした。
また、前記金属管または強化プラスチック管は、洗浄シート幅と同等の紙管より長く設定されていることを特徴とする。
【考案の効果】
【０００９】
上記のような特徴を有する洗浄布ロールによれば、乾式の洗浄シートに洗浄液を含浸させても、芯管の内側が鉄などの金属管または強化プラスチック管になっているので、乾式洗浄機に装着しても中央部が大きく撓んでしまうことがない。したがって、洗浄シートの幅方向で洗浄液の偏りが無くなり、また、シワの発生原因を押えることができる。金属管または強化プラスチック管は、洗浄シート幅よりも出ている紙管の長さの分だけあればよい。さらに、紙管を洗浄シート幅に設定し、金属管または強化プラスチック管の長さをシート幅より長くすることで、現場で金属管だけにより軸受させれば、紙管付の洗浄布ロールの箱詰めが容易となり、輸送上の利点がある。
【図面の簡単な説明】
【００１０】
【図１】実施形態に係る洗浄布ロールの分解斜視図である。
【図２】他の実施形態に係る洗浄布ロールの分解斜視図である。
【考案を実施するための形態】
【００１１】
以下、本考案の洗浄布ロールに係る実施の形態について、図面を参照しつつ詳細に説明する。
まず、図１を参照して、実施形態に係る洗浄布について説明する。実施形態に係る洗浄布ロール１０は、不織布からなる洗浄布１２を芯管１４に巻き付けたもので、巻き付け端を固定するための両面テープなどの固定手段を備える。洗浄布１２の幅は、洗浄対象とするブランケット胴の軸方向長さに応じたものとすれば良い。
【００１２】
芯管１４は、紙管１８と、これに内挿される金属管または強化プラスチック管（代表して金属管等２０とする。）を用いたものである。紙管１８に内挿される金属管２０としては、ＳＵＳや鉄など、紙管１８よりも剛性が高く、かつ洗浄液を吸収することがない金属製の管状体や、同じく紙管よりも剛性が高く、洗浄液を吸収しない樹脂製、あるいは樹脂を介して形状形成された複合部材であるＦＲＰ製や、カーボンファイバー製の管状体である。芯管１４を構成する金属管等２０としてＡｌなどの軽量な金属や合金等、あるいはカーボンファイバー等を採用しても良いが、材料費の削減を考慮した場合には、安価なＳＵＳや鉄を用いた方が良い。
【００１３】
芯管１４を構成している前記紙管１８は、その両端部が洗浄装置の軸受によって支持されるものであり、通常は洗浄布１２よりも長く設定されている。したがって、洗浄布１２の幅方向の端部から出ている。一方の金属管等２０は、この紙管１８と同等の長さを持っている。この金属管等２０も軸受支持されればよく、軸受の幅間隔を持つ長さとされている。したがって、紙管１８と金属管等２０とは同じ長さでよいが、少なくとも金属管等２０は両端部が軸受にて支持される長さとなればよく、多少紙管１８との長さの相違があってもよい。
【００１４】
また、図２に示す実施態様を採ることもできる。これは洗浄シート１２の幅と紙管１８Ａの長さを一致させたもので、これに挿入される金属管等２０の長さをそれ以上の長さとし、金属管等２０を軸受支持させるようにする。このような構成とすることにより、金属管等２０に洗浄布１２を巻き付けた際、洗浄布１２の幅方向両端部よりも外側に、金属管等２０の両端部を露出させている。
【００１５】
上記のようにして構成した洗浄布ロール１０は、洗浄機に装着する際、内側の金属管等２０が軸受支持される。これによって、両端支持され中央が垂れ下がった含浸洗浄布１２の中央に洗浄液が偏って存在することを防止できる。また、洗浄液の偏りを防止できるため、シワが発生し難いこととなる。
【００１６】
このように構成された紙管１８に金属管等２０を内挿した芯管１４上に洗浄布１２を巻き付けた洗浄布ロール１０は、乾式の洗浄装置に用いる場合には、洗浄布１２に洗浄液が含浸されても、長尺の回転芯を撓ませることなく運転できる。
【００１７】
また、このため、乾式の洗浄布ロールに、洗浄液を含浸させるだけで、湿式の洗浄布ロールとすることができる。金属管等２０が洗浄布１２の幅より広ければ、金属管等２０による軸受が可能である。紙管１８と金属管等２０とは一体的に固定されることによって、通常の芯管１４と同様に作用する。また、金属管等２０を紙管１８に後から挿入することで乾式洗浄布ロールとして洗浄装置の使用者に提供されたものを湿式の洗浄布ロールとして適用する場合に利用でき、もって洗浄布ロールの使用領域を拡大することができる。
【００１８】
なお、上記実施例は、紙管１８の内部に金属管等２０を挿入したケースを説明したが、金属管等２０はその外径が紙管１８の内径より小さくてもよい。撓みを防止できる程度であれば、許容できる。
【符号の説明】
【００１９】
１０…洗浄布ロール、１２…洗浄布、１４…芯管、１８…紙管、２０…金属管等。
【図１】
0003192266.tif 000003
【図２】
0003192266.tif 000004